(57)【要約】  ノズル装置は少なくとも１つの流体注入口（３１２、３１４）を有する渦流チャンバー（３１０）を備える。注入口は流体をチャンバー表面に非接線方向に導入するよう構成される。２又はそれ以上の注入口がある場合、注入口の一方は他方より大きな断面積を有していてもよい。又、注入口が接線方向に逆向きに配置される渦流チャンバーを備えたノズル装置と、その表面がチャンバーの横方向だけでなく縦方向にも湾曲する渦流チャンバーを備えたノズル装置とが開示される。
2008521601.tif 000002
【特許請求の範囲】
【請求項１】
渦流チャンバーを含むノズル装置であって、前記渦流チャンバーは少なくとも１つの湾曲した表面領域と、前記チャンバーの下流端に位置しそれを通って流体が前記チャンバーから流出可能な少なくとも１つの出口オリフィスと、少なくとも１つの流体注入口とを備え、
前記少なくとも１つの注入口は、前記注入口の反対側の前記チャンバーの表面領域に接する前に、前記注入口から少なくとも前記チャンバーの一部を横切って延びる経路に沿って流体を前記チャンバーの非接線方向に導入するよう構成され、
前記装置は、使用時に前記チャンバーに入る流体が前記少なくとも１つの出口オリフィスを通って前記チャンバーから流出する前に前記チャンバー内で回転させられるようになっているノズル装置。
【請求項２】
各注入口に直接隣接するチャンバーの表面に対し非接線方向に流体を前記チャンバー内に導入するよう構成される２又はそれ以上の注入口が存在する請求項１記載のノズル装置。
【請求項３】
前記２又はそれ以上の注入口の少なくとも２つは、前記チャンバー内で交差しない経路に沿って流体を前記チャンバー内に導入するよう構成される請求項２
記載のノズル装置。
【請求項４】
前記２又はそれ以上の注入口の少なくとも２つは、実質的に平行な経路に沿って流体を前記チャンバー内に導入するよう構成される請求項２又は請求項３記載のノズル。
【請求項５】
前記２又はそれ以上の注入口の少なくとも１つは、前記２又はそれ以上の注入口の少なくとも他の１つより大きい断面積を有する請求項２〜４のいずれか１に記載のノズル。
【請求項６】
前記少なくとも１つの非接線注入口は、使用時に流体が前記チャンバーの湾曲した表面領域へ導入されるよう構成される先行する全ての請求項のうちいずれか１に記載のノズル。
【請求項７】
前記チャンバーは円筒形の表面部分を有し、前記少なくとも１つの注入口は、流体を前記円筒形の表面部分へ導入するよう構成される請求項６記載のノズル。
【請求項８】
前記チャンバーの縦軸に対して実質的に垂直な共通平面に配置された２又はそれ以上の注入口が存在する先行する全ての請求項のうちいずれか１に記載のノズル。
【請求項９】
前記２又はそれ以上の注入口の２つは、前記チャンバーの反対側から流体を前記チャンバー内に導入するよう構成される請求項２、又は請求項２に従属する請求項３〜８のいずれか１に記載のノズル。
【請求項１０】
前記２又はそれ以上の注入口の２つは、前記チャンバーの同じ側から流体を前記チャンバー内に導入するよう構成される請求項２、又は請求項２に従属する請求項３〜８のいずれか１に記載のノズル。
【請求項１１】
少なくとも１つの別の注入口が前記チャンバーの上流端に存在する請求項８〜１０のいずれか１に記載のノズル。
【請求項１２】
前記チャンバーの表面の少なくとも一部は、該チャンバーの横方向と縦方向の両方に湾曲している先行する全ての請求項のうちいずれか１に記載のノズル。
【請求項１３】
前記チャンバーの表面の少なくとも一部は概ね球状又は一部球状である請求項１１記載のノズル。
【請求項１４】
渦流チャンバーを含むノズル装置であって、前記渦流チャンバーは前記チャンバーの下流端に位置しそれを通って流体が前記チャンバーから流出可能な少なくとも１つの出口オリフィスと、少なくとも１つの流体注入口とを備え、
前記チャンバーの表面の少なくとも一部がチャンバーの横方向と縦方向の両方に湾曲するノズル装置。
【請求項１５】
前記チャンバーの表面は概ね一部球状の少なくとも１つの領域を含む請求項１４記載のノズル。
【請求項１６】
前記チャンバーの少なくとも上流部分が概ね一部球状の表面領域を含み、前記概ね一部球状の表面領域の中心軸は実質的に前記チャンバーの縦軸に一致する請求項１４記載のノズル。
【請求項１７】
前記チャンバーはさらに、概ね一部球状の表面領域を有する下流部分を含む請求項１６記載のノズル。
【請求項１８】
前記チャンバーが概ね球状である請求項１７記載のノズル。
【請求項１９】
前記上流部分の概ね一部球状の表面領域は、前記下流部分の概ね一部球状の表面領域に比べて大きな半径を有する請求項１７記載のノズル。
【請求項２０】
前記上流部分の概ね一部球状の表面領域は、前記チャンバーの中間部分によって前記下流部分の概ね一部球状の表面領域から分離している請求項１６又は請求項１９記載のノズル。
【請求項２１】
前記チャンバーは、概ね円錐面の領域を持つ下流部分を含む請求項１６記載のノズル。
【請求項２２】
前記チャンバーは複数の出口オリフィスを有し、各出口オリフィスは前記チャンバーの概ね一部球状の表面領域に別々に位置する請求項１４〜２０のいずれか１に記載のノズル。
【請求項２３】
各出口オリフィスは、個々の一部球状の表面領域の中心軸上に位置する請求項２２記載のノズル。
【請求項２４】
前記チャンバーは、ドーナツ状部分に形成された表面領域を有する請求項１４〜２２のいずれか１に記載のノズル。
【請求項２５】
前記ドーナツ状部分表面領域は、前記少なくとも１つの出口オリフィスの周囲の前記チャンバーの下流部分に位置する請求項２３記載のノズル。
【請求項２６】
前記チャンバーの下流部分は、前記ドーナツ状部分表面領域の内側に位置する概ね一部球状の表面領域をさらに含む請求項２３〜２５のいずれか１に記載のノズル。
【請求項２７】
前記少なくとも１つの注入口が前記チャンバーの上流端部分に設けられる請求項１４〜１６のいずれか１に記載のノズル。
【請求項２８】
前記少なくとも１つの注入口は、前記チャンバーの縦方向に延びる経路に沿って流体を前記チャンバー内に導入するよう構成される請求項２７記載のノズル。
【請求項２９】
前記チャンバーの上流端部分に設けられる２又はそれ以上の注入口が存在する請求項２７又は２８記載のノズル。
【請求項３０】
前記注入口、又は各注入口は、前記注入口に直接隣接する前記チャンバーの表面に対し非接線方向に流体を前記チャンバーに導入するよう構成され、
前記装置は、前記チャンバーに入る流体が前記チャンバーの表面に接する前に少なくとも前記チャンバーの一部を横切って前記注入口から導入されるようにする請求項２７〜２９のいずれか１に記載のノズル。
【請求項３１】
前記チャンバーは２又はそれ以上の注入口を有し、前記チャンバーは少なくとも２つの前記注入口からの流体流が前記チャンバー内で周方向に概ね逆回転するように構成される請求項２９又は３０に記載のノズル。
【請求項３２】
４又はそれ以上の注入口が存在する先行する全ての請求項のうちいずれかに記載のノズル。
【請求項３３】
渦流チャンバーを含むノズル装置であって、前記渦流チャンバーは前記チャンバーの下流端に位置しそれを通って流体が前記チャンバーから流出可能な少なくとも１つの出口オリフィスと、少なくとも２つの流体注入口とを備え、
前記少なくとも２つの注入口はそれぞれの注入口に直接隣接する前記チャンバーの表面の接線方向に流体を導入するようそれぞれ構成され、
少なくとも２つの注入口は、使用時に流体流が前記チャンバーの周方向に概ね逆回転するよう、前記チャンバー内に流体の流れを導入するように配置されるノズル装置。
【請求項３４】
前記少なくとも２つの注入口は、前記チャンバーの同じ側から前記チャンバーに入る請求項３３記載のノズル。
【請求項３５】
前記少なくとも２つの注入口は、前記チャンバーの縦軸に対して垂直な共通平面に設けられている請求項３３又は請求項３４記載のノズル。
【請求項３６】
少なくとも１つの前記注入口は少なくとも他の１つの前記注入口より大きい断面積を有する請求項３３〜３５のいずれか１に記載のノズル。
【請求項３７】
２以上の注入口が存在し、使用時に、少なくとも２つの前記注入口は、流体流が前記チャンバーの周方向に概ね逆回転するよう、前記チャンバー内に流体の流れを導入するように配置される請求項３３〜３６のいずれか１に記載のノズル。
【請求項３８】
前記チャンバーに沿って間隔をあけて配置されるよう、前記チャンバーの縦軸に対して垂直な複数の異なる平面に複数の注入口が設けられている請求項３７記載のノズル。
【請求項３９】
異なる平面のそれぞれに少なくとも２つの注入口が存在し、使用時に、それらは流体流が前記チャンバーの周方向に概ね逆回転するよう、流体の流れを前記チャンバー内に導入するように配置される請求項３８記載のノズル。
【請求項４０】
渦流チャンバーを含むノズル装置であって、前記渦流チャンバーは前記チャンバーの下流端に位置しそれを通って流体が前記チャンバーから流出可能な少なくとも１つの出口オリフィスと、少なくとも２つの流体注入口とを備え、
少なくとも１つの前記流体注入口は少なくとも他の１つの前記流体注入口より大きい断面積を有するノズル装置。
【請求項４１】
請求項４０、及び請求項１〜３９のいずれか１に記載のノズル装置。
【請求項４２】
前記渦流チャンバーは、前記チャンバーの下流端の中心に配置される単一の出口オリフィスを有する先行する全ての請求項のうちいずれか１に記載のノズル装置。
【請求項４３】
前記渦流チャンバーは、複数の出口オリフィスを有する請求項１〜４１のいずれか１に記載のノズル装置。
【請求項４４】
前記渦流チャンバーの前記出口オリフィス又は各出口オリフィスは、前記ノズル装置の最終スプレーオリフィスである先行する全ての請求項のうちいずれか１に記載のノズル装置。
【請求項４５】
前記渦流チャンバーの前記出口オリフィス又は各出口オリフィスは、前記チャンバーから流出する流体を、前記ノズル装置の前記最終出口オリフィス又はオリフィスから上流にある前記ノズル装置の延長部分に導入する先行する全ての請求項のうちいずれか１に記載のノズル装置。
【請求項４６】
前記渦流チャンバーが１以上の注入口を有し、すべての前記注入口が流体源から同一の液体を前記チャンバーに供給するよう配置される先行する全ての請求項のうちいずれか１に記載のノズル装置。
【請求項４７】
前記渦流チャンバーが１以上の注入口を有し、少なくとも１つの前記注入口が第１の流体源から液体を前記チャンバーに供給するよう配置され、少なくとも１つの他の注入口が第２の流体源から異なる流体を前記チャンバーに供給するよう配置される請求項１〜４５のいずれか１に記載のノズル装置。
【請求項４８】
前記異なる流体はガスである請求項４７に記載のノズル装置。
【請求項４９】
前記ノズル装置は、互いに並列に配置される２又はそれ以上の渦流チャンバーを含む先行する全ての請求項のうちいずれか１に記載のノズル装置。
【請求項５０】
前記ノズル装置は、直列に配置される２又はそれ以上の渦流チャンバーを含む先行する全ての請求項のうちいずれか１に記載のノズル装置。
【請求項５１】
直列に配置される２つの渦流チャンバーと、前記２つの渦流チャンバー間の流路に配置される膨張チャンバーとを含む請求項５０に記載のノズル装置。
【請求項５２】
前記出口オリフィス又は各出口オリフィスを通って前記チャンバーから流出する流体は、空気芯を含まない完全円錐の霧化スプレーを形成する先行する全ての請求項のうちいずれか１に記載のノズル装置。
【請求項５３】
種々の図に関し、及び種々の図で示される実質的に前述したノズル装置。
【請求項５４】
先行する全ての請求項のうちいずれか１に記載のノズル装置を含むディスペンサー。
【発明の詳細な説明】
【技術分野】
【０００１】
この発明は、ノズル装置に関する。特に、但しそれに限られることなく、この発明は、圧力下でノズル装置を通って流れるようにされる流体のスプレーを生成する際に用いるノズル装置に関する。この発明は又、かかるノズル装置を組み込んだディスペンサーに関する。
【背景技術】
【０００２】
ノズルは、様々な流体のスプレーを生成する手段を提供するためにしばしば使用されている。特に、容器に貯えられた流体が噴霧スプレー又は霧の形態で分注され得る手段を提供するため、ノズルは一般にいわゆる"エアロゾル容器"とよばれる加圧された流体で満たされた容器の出口弁に取付けられるアクチュエータ(actuator)に組み込まれる。例えば、制汗スプレー、消臭スプレー、香水、芳香剤、消毒剤、塗料、殺虫剤、つや出し剤、ヘアケア製品、医薬品、水及び潤滑剤を含む形態で、多数の市販品が消費者に提供されている。これに加えて、ポンプ又は引金で動作するノズル装置、すなわち、前記装置と一体部分を構成し手動で操作可能なポンプ又は引金の操作によって非加圧の容器から流体の放出が行われる装置も又、しばしば特定の流体製品の噴霧スプレー又は霧を生成するために用いられる。ポンプ又は引金ノズル装置を用いて一般に分注される製品の例は、種々の園芸及び家庭用品のスプレーと同様、種々の化粧水及び殺虫剤を含む。
【０００３】
エアロゾル容器用のノズルは通常、エアロゾル弁から延びるステム(stem)の端に位置するアクチュエータに組み込まれ、又、ノズルの多くの機構をエアロゾル弁それ自体に、及び／又はステムに直接組み込むことが提案されている。従って、ここでノズル装置についての言及は、エアロゾル容器出口弁のステムに取付けられる分離した構成要素を形成するか又は手動で操作可能なポンプ又は引金の一部となるノズル装置だけでなく、エアロゾル出口弁又はステムに組み込まれるノズル装置に及ぶことを意図することは理解されるべきである。
【０００４】
又、ノズル装置は、流体のスプレーを生成する必要がある種々の工業用途に用いられる。例えば、噴霧ノズルは、園芸及び冷却用途に用いられる。又、ノズル装置は、エンジンなどの燃料噴射システムの一部としてしばしば用いられる。
【０００５】
流体が加圧下でノズル装置を通って流れる時にスプレーが生成される。スプレーを形成するため、前記ノズル装置は、ノズルを通過する流体流が壊れて又は「噴霧化」(atomize)して多数の液滴になり、１又はそれ以上の出口オリフィスから放出されるように構成される。
【０００６】
スプレーに要求される液滴の最適な大きさは、主として関係する個々の製品、及びそれが意図する用途による。例えば、患者（例えば、喘息患者）によって吸入される薬物を含む医薬品スプレーは、肺に深く浸透できるように通常は極めて小さな液滴を必要とする。これに対し、つや出しスプレーは、つや出しされる表面にエアロゾル液滴が衝突するのを促進すると共に、特にスプレーが毒性の場合に吸入される程度を減らすよう、好ましくはより大きな直径のスプレー液滴を含む。
【発明の開示】
【発明が解決しようとする課題】
【０００７】
従来のノズル装置によって形成されるエアロゾル液滴の大きさは、出口オリフィスの大きさ、及び流体がノズルを通過させられるための圧力を含む多くの因子に影響される。しかし、微小で粒径分布が狭い液滴を含むスプレーを形成したい場合、特に低圧の場合に問題が生じる。スプレーを生成するために低圧を用いることは、より高価な加圧容器の代わりに手動で操作可能なポンプ又は引金スプレーのような低圧のノズル装置を使用することを可能とし、さらに加圧された流体で満たされた容器については、スプレーに存在する高圧ガスの量を下げるか、又は一般に更に低い圧力を形成する別の高圧ガス（例えば、圧縮ガス）を使用することができるので、ますます好都合である。エアロゾル容器に使用される高圧ガスのレベルを下げる要求は現在の時事的話題となっており、幾つかの国で立案された携帯用のエアロゾル容器に使われる高圧ガスの総量に規制を課すことを提案する法律のため、将来は更に重要になってくると思われる。高圧ガスのレベルを下げることは、ノズル装置を通る流体を推進するのに利用できる圧力の低下をもたらすと共に、また液滴を破壊し易くするため混合物中に存在する高圧ガスを少なくする。そのため、低圧において微小な液滴から成るエアロゾルスプレーを形成できるノズル装置への要求がある。
【０００８】
従来のノズル装置に取付けられる周知の加圧型のエアロゾル容器についての更なる問題は、エアロゾル容器の寿命の間、特に、高圧ガスが除々に減少するに従い容器内の圧力が低減するにつれエアロゾル容器の寿命が最後に向かうにつれて、生成されたエアロゾル液滴の大きさが増大する傾向にあることである。この圧力低下は、生成されるエアロゾル液滴の目に見える増加を引き起こし、更に、これにより生成されたスプレーの質が低下する。
【０００９】
低圧で高品質のスプレーを提供する問題は、流体を充分に小さな液滴に霧化するのが困難になるため、関与する(concerned)流体が高粘度を有する場合にさらに深刻になる。
【００１０】
上記に述べた問題を克服するか、又は少なくとも軽減するため、ノズル装置を改良する種々の提案がされてきた。
【００１１】
例えば、出口オリフィスを通ってチャンバーを出る前に流体に回転が与えられるよう、ノズル装置に渦流チャンバーを組み込むことが知られている。一般に、公知の渦流チャンバーは、チャンバーの下流端又は前方端の壁内部の中央に位置する出口オリフィスを備えた円筒形のチャンバーを含む。チャンバーの側部には、流体がチャンバー内で回転するよう、流体を円筒壁の接線方向に向けさせる１又はそれ以上の流体注入口が設けられている。１以上の注入口オリフィスが存在する場合、すべての注入口オリフィスは、流体をチャンバー内の同じ円周方向に供給する。出口オリフィスから円錐スプレーパターンを形成する際に、渦流チャンバーは特に有用である。
【００１２】
渦流チャンバーに関し、ここで使用される用語"下流端"及び"上流端"は、チャンバーを通る流体の一般的な運動方向におけるチャンバーの端を示す。従って、前記"下流" 端は、流体がチャンバーを出る端部であり、この部分で出口が形成され、一方で前記"上流"端は前記下流端と反対側の端である。
【００１３】
一般的に知られている渦流チャンバーは、ベノイスト(Benoist)の米国特許6367711  B1に記載されている。この装置では、外郭の中心に円筒形チャンバーを規定するため、４つの外郭(profiles)が輪になって配置されている。隣接する外郭(profiles)の間の空間は、流体に旋回運動を与えるよう、流体を中央チャンバーの接線方向に向けさせる注入口を形成する。チャンバー下流端の壁の中央に、スプレーオリフィスが設けられている。
【００１４】
又、本出願人の国際特許出願WO01/89958に開示されているように、最終エアロゾルにおける液滴のサイズとサイズ分布の調整手段として、最終出口オリフィスから上流に間隔を空けたことを除き(but)、渦流チャンバーをノズル装置内に組み込むことは有益であると考えられてきた。
【００１５】
多くの公知の渦流チャンバーは、一般に液体である流体が出口オリフィスを出る際にそれの周りに回転する空気芯を生成する。前記空気芯は、液体がチャンバー内で回転する際に渦巻を形成する結果として生成され、液体は出口オリフィスの中心を通ってノズルの外側から空気芯を引き込む。空気芯を生成する渦流チャンバーは、中空円錐形のスプレーを生じさせるとともに、ノズルの最終出口スプレーオリフィスに隣接した場所でのみ用いられる。
【００１６】
従来の渦流チャンバーは有効であると考えられてきたが、生成されるスプレー品質をさらに向上させるため、又は従来の渦流チャンバーを用いて生成されたものとは異なる特性のスプレーを生成するために使用可能な別の渦流チャンバー構造を有するノズル装置を提供する必要がある。
【課題を解決するための手段】
【００１７】
本発明の第１の態様によれば、渦流チャンバーを含むノズル装置であって、前記渦流チャンバーは少なくとも１つの湾曲した表面領域と、前記チャンバーの下流端に位置しそれを通って流体が前記チャンバーから流出可能な少なくとも１つの出口オリフィスと、少なくとも１つの流体注入口とを備え、前記少なくとも１つの注入口は、前記注入口の反対側の前記チャンバーの表面領域に接する前に、前記注入口から少なくとも前記チャンバーの一部を横切って延びる経路に沿って流体を前記チャンバーの非接線方向に導入するよう構成され、前記装置は、使用時に前記チャンバーに入る流体が前記少なくとも１つの出口オリフィスを通って前記チャンバーから流出する前に前記チャンバー内で回転させられるようになっているノズル装置が提供される。
【００１８】
各注入口に直接隣接するチャンバーの表面に対し、前記チャンバーの非接線方向に流体を導入するよう構成される２又はそれ以上の注入口が存在してもよい。前記２又はそれ以上の注入口は、前記チャンバー内で交差しない経路に沿って流体を前記チャンバー内に導入するよう構成されてもよい。前記２又はそれ以上の注入口は、実質的に平行な経路に沿って流体を前記チャンバー内に導入するよう構成されてもよい。前記２又はそれ以上の注入口の少なくとも１つは、前記２又はそれ以上の注入口の少なくとも他の１つより大きい断面積を有してもよい。
【００１９】
前記少なくとも１つの非接線方向注入口は、使用時に流体が前記チャンバーの湾曲した表面領域へ導入されるよう構成されてもよい。
【００２０】
前記チャンバーは円筒形の表面部分を有し、前記少なくとも１つの注入口は、流体を前記円筒形の表面部分へ導入するよう構成されてもよい。
【００２１】
前記チャンバーの縦軸に実質的に垂直な共通平面(common plane)に配置された２又はそれ以上の注入口が存在してもよい。
【００２２】
２つの注入口からの流体流が実質的にチャンバーの同じ周方向に前記チャンバーの周囲を回転させられるよう、前記２又はそれ以上の注入口の２つは、前記チャンバーの反対側から流体を前記チャンバー内に導入するよう構成されてもよい。その代わり、前記２つの注入口からの流体流が前記チャンバーの周方向に前記チャンバーの周囲を概ね逆回転させられるよう、前記２又はそれ以上の注入口の２つは、前記チャンバーの同じ側から流体を前記チャンバー内に導入するよう構成されてもよい。
【００２３】
少なくとも１つの別の注入口が前記チャンバーの上流端に存在してもよい。
【００２４】
前記チャンバーの表面の少なくとも一部は、該チャンバーの横方向と縦方向とに湾曲していてもよい。前記チャンバーの表面の少なくとも一部は、ドーム状(dome-like)、概ね球状又は概ね一部球状であってもよい。
【００２５】
本発明の第２の態様によれば、渦流チャンバーを含むノズル装置であって、前記渦流チャンバーは前記チャンバーの下流端に位置しそれを通って流体が前記チャンバーから流出可能な少なくとも１つの出口オリフィスと、少なくとも１つの流体注入口とを備え、前記チャンバーの表面の少なくとも一部がチャンバーの横方向と縦方向とに湾曲するノズル装置が提供される。
【００２６】
特にチャンバーの上流端において、前記チャンバーの表面が概ねドーム状又は一部球状の少なくとも１つの領域を含んでもよい。
【００２７】
前記チャンバーはさらに、概ねドーム状又は一部球状の表面領域を有する下流部分を含んでもよい。前記上流部分の概ねドーム状又は一部球状の表面領域は、前記下流部分の概ねドーム状又は一部球状の表面領域に比べて大きな半径を有してもよい。
【００２８】
前記上流部分の概ねドーム状又は一部球状の表面領域は、前記チャンバーの中間部分によって前記下流部分の概ねドーム状又は一部球状の表面領域から分離されていてもよい。
【００２９】
前記チャンバーは概ね球状であってもよい。
【００３０】
前記チャンバーは、概ね円錐面の領域を持つ下流部分を含んでもよい。
【００３１】
前記チャンバーは複数の出口オリフィスを有し、各出口オリフィスは前記チャンバーの概ね一部球状又はドーム状の表面領域に別々に位置されてもよい。各出口オリフィスは、個々の一部球状又はドーム状の表面領域の中心軸(polar axis)上に位置されてもよい。
【００３２】
前記チャンバーは、ドーナツ状部分(section)に形成された表面領域を有してもよく、それは前記少なくとも１つの出口オリフィスの周囲の前記チャンバーの下流部分に位置されてもよい。前記ドーナツ状部分表面領域の内側に、前記チャンバーの概ね一部球状又はドーム状の表面領域が位置されてもよい。
【００３３】
前記少なくとも１つの注入口が前記チャンバーの上流端領域(region)に設けられてもよい。前記少なくとも１つの注入口は、前記チャンバーの縦方向に延びる経路に沿って流体を前記チャンバー内に導入するよう構成されてもよい。２又はそれ以上の注入口が存在してもよく、各注入口は前記チャンバーの上流端領域に設けられる。
【００３４】
前記注入口、又は各注入口は、前記注入口に直接隣接する前記チャンバーの表面に対し非接線方向に流体を前記チャンバーに導入するよう構成されてもよく、前記装置は、前記チャンバーに入る流体が前記チャンバーの表面に接する前に少なくとも前記チャンバーの一部を横切って前記注入口から導入されるようにしてもよい。
【００３５】
前記チャンバーは２又はそれ以上の注入口を有してもよく、前記チャンバーは少なくとも２つの前記注入口からの流体流が前記チャンバー内で周方向に概ね逆回転するように構成されてもよい。
【００３６】
４又はそれ以上の注入口が存在してもよい。
【００３７】
本発明の第３の態様によれば、渦流チャンバーを含むノズル装置であって、前記渦流チャンバーは前記チャンバーの下流端に位置しそれを通って流体が前記チャンバーから流出可能な少なくとも１つの出口オリフィスと、少なくとも２つの流体注入口とを備え、前記少なくとも２つの注入口は、それぞれの注入口に直接隣接する前記チャンバーの表面の接線方向に流体を導入するようそれぞれ構成され、少なくとも２つの注入口は、使用時に流体流が前記チャンバーの周方向に概ね逆回転するよう前記チャンバー内に流体の流れを導入するように配置されるノズル装置が提供される。
【００３８】
前記少なくとも２つの注入口は、前記チャンバーの同じ側から前記チャンバーに入ってもよい。
【００３９】
前記少なくとも２つの注入口は、前記チャンバーの縦軸に垂直な共通平面に設けられてもよい。
【００４０】
前記注入口の１つは少なくとも他の１つの前記注入口より大きい断面積を有していてもよい。
【００４１】
２以上の注入口が存在し、その場合、使用時に、少なくとも２つの前記注入口は、流体流が前記チャンバーの周方向に概ね逆回転するよう、前記チャンバー内に流体の流れを導入するように配置されてもよい。
【００４２】
前記チャンバーの縦に沿って間隔をあけて配置されるよう、前記チャンバーの縦軸に垂直な複数の異なる平面に複数の注入口が設けられていてもよい。前記異なる平面のそれぞれに少なくとも２つの注入口が存在してもよく、使用時に、それらは流体流が前記チャンバーの周方向に概ね逆回転するよう流体の流れを前記チャンバー内に導入するように配置されてもよい。
【００４３】
本発明の第４の態様によれば、渦流チャンバーを含むノズル装置であって、前記渦流チャンバーは前記チャンバーの下流端に位置し、それを通って流体が前記チャンバーから流出可能な少なくとも１つの出口オリフィスと、少なくとも２つの流体注入口とを備え、少なくとも１つの前記流体注入口は、少なくとも他の１つの前記流体注入口より大きい断面積を有するノズル装置が提供される。本発明の第４の実施態様に従うノズルは、本発明の第１、第２及び第３の実施態様のいかなる特徴を含んでもよい。
【００４４】
本発明の種々の態様において、前記渦流チャンバーは、前記チャンバーの下流端の中心に配置される単一の出口オリフィスを有してもよい。その代わり、前記渦流チャンバーは、複数の出口オリフィスを有してもよい。前記渦流チャンバーの前記出口オリフィス又は各出口オリフィスは、前記ノズル装置の最終スプレーオリフィスであってもよい。その代わりに、前記渦流チャンバーの前記出口オリフィス又は各出口オリフィスは、前記チャンバーから流出する流体を、前記ノズル装置の前記最終出口オリフィス又は他のオリフィ)から上流にある前記ノズル装置の延長部分に導入してもよい。
【００４５】
前記渦流チャンバーが１以上の注入口を有する場合、すべての前記注入口が流体源から同一の液体を前記チャンバーに供給するよう配置されてもよい。その代わりに、少なくとも１つの前記注入口が第１の流体源から第１の液体を前記チャンバーに供給するよう配置されてもよいし、かつ、少なくとも１つの他の注入口が第２の流体源から異なる流体を前記チャンバーに供給するよう配置されてもよい。前記異なる流体はガスであってもよい。
【００４６】
本発明の種々の態様において、前記ノズル装置は、互いに並列又は直列に配置される２又はそれ以上の渦流チャンバーを含んでもよい。膨張(expansion)チャンバーと直列に配置される２つの渦流チャンバーが存在してもよく、膨張チャンバーは前記２つの渦流チャンバー間の流路に配置される。
【００４７】
本発明の種々の態様において、前記出口オリフィス又は各出口オリフィスを通って前記ノズル装置から流出する流体は、空気芯を含まない完全円錐の霧化スプレーを形成してもよい。
【００４８】
本発明の第５の態様によれば、本発明のこれまでの実施態様のいずれか１つに従うノズル装置を含むディスペンサーが提供される。
【００４９】
添付の図を参照し、本発明のいくつかの実施形態が一例として記述される：
図１は、本発明に従うノズル装置の一部を形成する渦流チャンバーの略断面図であり、図は前記チャンバーの縦軸Ｙを含む平面を通って得られる。
図２は、図１のＸ−Ｘ線に沿って得られた略断面図である。
図３は、図２に類似する図であるが、２つの注入口オリフィスが同じ側からチャンバーに入るものとしたチャンバーの別の実施形態を示す図である。
図４は、図１に類似する図であるが、チャンバーのいずれかの側に複数の注入口オリフィスが備えられた他の代替実施形態を示している。
図５は、図２に類似する図であるが２つの注入口オリフィスが流体をチャンバーの接線方向の逆向きに導入するよう配置されるさらに他の代替実施形態を示している。
図６ａ、６ｂ及び６ｃは、本発明の別の実施形態に従うノズル装置の一部のそれぞれ正面概略図、側面概略図及び平面概略図であり、渦流チャンバーの隠れた細部が破線で示される。
図７ａ、７ｂ及び７ｃは、それぞれ図６ａ、６ｂ及び６ｃに類似する図であるが本発明のさらに他の実施形態を示している。
図８ａ、８ｂ及び８ｃは、それぞれ図６ａ、６ｂ及び６ｃに類似する図であるが本発明のさらに別の実施形態を示している。
図９ａ、９ｂ及び９ｃは、それぞれ図６ａ、６ｂ及び６ｃに類似する図であるが本発明のさらに別の実施形態を示している。
図１０ａ、１０ｂ及び１０ｃは、それぞれ図６ａ、６ｂ及び６ｃに類似する図であるが本発明のさらに別の実施形態を示している。
図１１ａ及び１１ｂは、それぞれ図６ｂ及び６ｃに類似する図であるが本発明のさらに別の実施形態を示している。
図１２ａ、１２ｂ及び１２ｃは、それぞれ図６ａ、６ｂ及び６ｃに類似する図であるが本発明のさらに別の実施形態を示している。
図１３ａ、１３ｂ及び１３ｃは、それぞれ図６ａ、６ｂ及び６ｃに類似する図であるが本発明のさらに別の実施形態を示している。
図１４ａ、１４ｂ及び１４ｃは、それぞれ図６ａ、６ｂ及び６ｃに類似する図であるが本発明のさらに別の実施形態を示している。
【００５０】
最初に図１及び２に関し、本発明に従うノズル装置に使用されるチャンバー１０が図式的に示される。ここに記載されるすべての実施形態と同様、特にスプレー状に流体源から流体を分注するのに適したあらゆるノズル装置にチャンバー１０を組み込むことができる。例えば、ノズル装置は、エアロゾル容器の出口弁に嵌め込まれるアクチュエータ又は他の構成要素に組み込まれてもよい。その代わりに、前記チャンバーが前記出口弁それ自体又は前記出口弁から突出するステム(stem)に組み込まれてもよい。前記チャンバーは、非加圧型容器から流体を噴霧するのに適した手動ポンプ又は引金式ディスペンサーのノズル装置に組み込まれてもよい。前記チャンバーはさらに、工業用ノズル又は燃料噴射ノズルの一部を形成してもよい。
【００５１】
図２に示すように、前記チャンバー１０は円形断面を持つ円筒状をなしている。流体は、反対側から前記チャンバーに入る２つの側部注入口１２，１４を通って前記チャンバー１０に供給される。出口１６は、前記チャンバー１０の下流端を規定する壁１８の中心に位置している。
【００５２】
ここに開示されたすべての実施形態と同様、出口１６は、ノズル装置の最終スプレー出口オリフィスであってもよく、又は出口１６は、ノズル装置内で出口オリフィス若しくはオリフィスに通じる更なる流路の一部又は追加のチャンバーに、チャンバーから流出する流体を導入してもよい。出口１６は、チャンバーの下流端壁の中心に位置している必要はないが、チャンバー内のあらゆる適切な場所に位置させることができる。特定の用途においては、１以上の出口１６が提供されてもよい。
【００５３】
図２から最も理解されるように、側部注入口１２、１４は、互いに対してオフセットされるとともに、注入口に直接隣接するチャンバーの壁に対して接線でない方向に流体をチャンバー内に導入するよう配置され、前記チャンバーの反対側の壁部分に接する前に２つの流体流を交差させない。これは流体流を、湾曲している反対側の壁部分にチャンバーを横切って向けさせることになる。流体流が反対側の壁部分に当ると、流体の一部が壁から跳ね返り、流体に過流運動を与えるための壁部分の湾曲のため、一部がチャンバー内で回転させられる。図２に示すように配置された側部注入口１２、１４により、流体流はチャンバーの周囲で同じ円周方向に回転する傾向にあり、図に示した装置においては時計周りとなる。
【００５４】
この装置は、チャンバーの周囲を円周方向に動くように注入口がチャンバーの内壁面の接線方向に流体を導入する従来の渦流チャンバーとは異なる。注入口が入り込む渦流チャンバーの壁表面に対して接線でない方向で渦流チャンバーに流体を導入する注入口は、一般に非接線注入口と呼ばれる。
【００５５】
本出願人は、従来の同等の渦流チャンバーに比べ、非接線注入口を持つ渦流チャンバーが微小液滴を有すると共に完全で広範な円錐状のスプレーを生成することを見出した。渦流チャンバー内で非接線注入口を用いる利点は、チャンバーに入る流体が、注入口に隣接するチャンバーの壁に直接導入される従来の渦流の流体と同じレベルの摩擦を受けないことにあると考えられる。このように、非接線注入口を用いると流体のエネルギー損失を低減するので、流体の破砕又は霧化を補助するために流体内により多くのエネルギーが存在するため、低い操作圧においても渦が優れたスプレーパターンを生成することができる。又、このことは、例えばその粘度のため他の方法では霧化が困難な溶液(solutions)にノズルを有効に用いることを可能とする。
【００５６】
一般に、注入口の流れが渦流チャンバー壁の表面から遠くなるほど、ノズルのスプレー特性が向上することが観察されてきた。しかし、流れが出口オリフィスと重なることは望ましくなく、互いに影響を及ぼすことは望ましくない。
【００５７】
チャンバー内の流体に回転運動を与えるためには、流体流が導入されるチャンバー表面が湾曲していることが都合がよい。本実施形態においてチャンバー１０は円形の断面を有するが、このことは必須ではなく、流体流が導入され得る湾曲した壁の一部又は壁部分をチャンバーが有していれば、非円形断面を有するチャンバーを使用することができる。
【００５８】
図１及び２に示すように、側部注入口１２、１４は同じ大きさであるが、特定の用途では片方の注入口が他方の注入口より大きい方が有利であることがわかっている。断面積の異なる注入口を用いると異なる速度を持つ流体の流れが生成し、チャンバー内で流れが混ざると、速度差は流体の破砕を促進するのに有利な付加的な乱流を引き起こすと考えられる。その結果、特にスプレーパルス(pulse)の端に向かって、ノズルは微小な液滴サイズを持つスプレーパターンを生成する。
【００５９】
異なる大きさの注入口を用いる概念は、本実施形態に従う渦流チャンバーに限られず、その他の点は従来の接線方向の注入口を有する渦流チャンバーと同様にここに開示されたすべての実施形態に関して用いることができる。
【００６０】
図１及び２に示す実施形態は側部注入口１２、１４を２つのみ有するが、２以上の側部注入口を備えてもよい。図４は、チャンバーの両側の縦方向に間隔をあけて配置される３つの側部注入口１２ａ、１２ｂ、１２ｃ、１４ａ、１４ｂ、１４ｃが存在する実施形態を示す。個々の側部注入口は、図２に示す注入口１２、１４と同様な方法で流体をチャンバーに導入するよう配置される。一方の側の側部注入口１２ａ-１２ｃは、他方の側の側部注入口１４ａ-１４ｃより大きくてもよい。図４は、両側に３つの側部注入口があるものを示すが、あらゆる適切な数の側部注入口が提供され得ることは充分に理解される。さらに、流体の流れがチャンバーの反対側の湾曲した壁部分に接する前に互いに交差しないという条件で、側部注入口は、縦方向でなく周方向に、又は縦方向に加え周方向に間隔をあけて配置されてもよい。
【００６１】
図３は、流体が概ね同じ横方向にチャンバーを横切る、すなわち両方がチャンバーの同じ側から反対側に移動するように、チャンバーの同じ側から流体をチャンバーに供給するように２つの側部注入口１１２、１１４が配置されるチャンバー１１０の追加実施形態を示す。図２に示す実施形態と同様、側部注入口１１２、１１４は、チャンバーの湾曲した側壁に対し接線でない方向に流体をチャンバー内に導入し、各流体流を交差させない。このことは、チャンバーを横切って反対側の湾曲した壁面に向かって流体流を導入させる。流体流が反対側の壁面に当ると流体の一部が壁から跳ね返り、一部がチャンバー内で回転させられて流体に渦運動を与える。
【００６２】
側部注入口１２、１４からの流体流が同一の周方向に回転する図２に示す実施形態とは異なり、この実施形態では側部注入口１１２、１１４からの流体流は、互いに影響を与えるよう周方向に逆回転する。流体流がチャンバーの周りに逆回転すると、流れの一方が他方の下に押し込まれ、乱流が増大して流体を液滴に破砕するのを促進する。
【００６３】
前の実施形態と同様、側部注入口１１２、１１４は異なる大きさであってもよく、２以上の注入口が備えられていてもよい。例えば、図４に示すものと同様な方法で、２又はそれ以上の側部注入口がチャンバーの縦方向に沿って注入口１１２、１１４と一列に間隔をあけて設けられてもよい。
【００６４】
図２及び３に示す実施形態においては、側部注入口１２、１４、１１２、１１４は、流体の流れを実質的に互いに平行にチャンバー１０、１１０へ導入するよう構成される。これは特に有利な配置と考えられているが必須でなく、チャンバー壁の反対側の湾曲部分に接する前に流体の流れが交差するのであれば、側部注入口が互いにある角度を持って配置されていてもよい。
【００６５】
図５は、本発明の別の実施形態を示す。図２に示す実施形態と同様、チャンバー２１０は、流体を反対側からチャンバーに導入する２つの側部注入口２１２、２１４を有する。この実施形態では、注入口に直接隣接するチャンバー壁に流体が接し、従来の渦と同様の方法で回転させられるように、側部注入口２１２、２１４は、流体をチャンバーの接線方向に導入するよう配置される。しかし、すべての注入口が流体をチャンバーの同じ周方向に導入する従来の渦と異なり、この実施形態の側部注入口２１２、２１４は、流体をチャンバー２１０の周方向に逆向きに導入し、その結果、側部注入口２１２、２１４からの流体流がチャンバーの周りを逆回転し、流体流の一方が他方の下に押し込まれるように互いに衝突する。このことはチャンバー内で乱流を増大させ、最終スプレーで液滴を微小にし、完全円錐をもたらす。側部注入口２１２、２１４の一方が注入口オリフィス２１２、２１４の他方より大きくてもよい。
【００６６】
流体をチャンバーの接線方向であるが、周方向に逆向きに導入するよう配置される注入口は、ここで逆接線と呼ばれる。
【００６７】
流体をチャンバーの周方向に逆向きに導入するため、側部注入口の少なくとも２つが逆接線方向に配置されるのであれば、前の実施形態と同様、チャンバー２１０が２以上の側部注入口２１２、２１４を有してもよい。例えば、チャンバーの両側に複数の側部注入口が備えられていてもよい。
【００６８】
図２に関して上記した出口１６と同様の方法で、チャンバー２１０は、チャンバーの下流端の中心に位置してよい少なくとも１つの出口オリフィスを有する。出口はノズル装置の最終出口若しくは出口オリフィスであってもよく、又はチャンバーから出る流体を、出口オリフィス若しくはオリフィスへ通じるノズル装置内のさらなる流路の一部へ導入してもよく、又は別のチャンバーへ導入してもよい。
【００６９】
チャンバー２１０は円形の断面を有するものとして示されているが、これは必須ではない。実際、この実施形態において、流体に回転又はスピン運動を与えるために、注入口が壁の接線方向に流体を導入できるのであれば、チャンバーの壁が湾曲していることは必須ではない。
【００７０】
上記したすべての実施形態において、側部注入口１２、１４、１１２、１１４、２１２、２１４は、チャンバーの縦軸Ｙに垂直な共通平面上に一対で示される。しかし、このことは必須ではなく、縦軸に垂直な異なる平面上に側部注入口が位置することも可能である。
【００７１】
さらに、記載された実施形態のすべてにおいて、１又はそれ以上の付加的な注入口が上流端からチャンバー１０、１１０、２１０に入ってもよい。これは、上流端壁２２を通り、流体をチャンバー１０に縦方向に導入する１個の注入口２０を破線で示す図１に説明されている。図１には付加的な注入口が１つのみ示されているが、１以上の付加的な注入口が設けられてもよい。
【００７２】
すべての側部注入口は、液体又はガスであってよい同一の流体をチャンバーに供給するよう構成されてもよい。その代わりに、１又はそれ以上の側部注入口が第１の流体をチャンバーに供給し、残りの側部注入口が第２の流体を供給するよう構成されていてもよい。第１及び第２の流体は異なる液体から成ってもよく、又は第１の流体が液体であり他が空気などのガスであってもよい。
【００７３】
チャンバー１０、１１０、２１０が１又はそれ以上の付加的な注入口２０を有する場合、空気などのガスを前記１又はそれ以上の付加的な注入口を通って概ね縦方向にチャンバーに導入し、液体が側部注入口を通ってチャンバーに供給されるのが特に有利であると考えられる。
【００７４】
上記実施形態において、渦流チャンバー１０；１１０；２１０はすべて平らな上流及び下流端壁部分を有する。このことは必須ではなく、端部はあらゆる適切な形状とすることができる。特定の例では、チャンバーの１つ又は両方の端が先細りになっていて円錐又は截頭円錐(frusto-conical)形状を形成してもよい。このようにして、チャンバーの上流端は、上流端からチャンバーの縦に沿って離れた位置へ外側に先細っていてもよく、及び／又はチャンバーの下流端は、チャンバーの縦に沿って離れた位置から下流端へ内側に先細っていてもよい。しかし、一方又は両方の先細りになる(taper)方向は逆であってもよい。さらに、チャンバーの上流端は、チャンバー内へ離れて延びると共にその周りにチャンバー内の流体が回転する先細りの突起を有してもよい。この配置は図４の破線２４によって説明されている。
【００７５】
前に記載した実施形態はすべて、チャンバーの縦に沿った縦の中心線に平行に延びるのを除き、チャンバーの縦の中心線周りに（横断面で見たとき）湾曲する側面を持つ円筒形の渦流チャンバーを有する。ドーム状の表面部分を形成するため、少なくとも表面の一部がチャンバーの縦にも湾曲する渦流チャンバーを形成すると特に有利であると考えられている。図６から図１４を参照して記述されるように、いくつかの渦流チャンバーの実施形態は１又はそれ以上のドーム状表面領域を有する。
【００７６】
図６ａから図６ｃは、本発明に従うノズルのさらなる実施形態の図式化部分を示す。ノズルは本体３００、及び破線によって隠れた (hidden)細部が示される渦流チャンバー３１０を含む。渦流チャンバー３１０は２つの概ね半球状の表面領域３１０ａ、３１０ｂを有する。第１の半球面領域３１０ａはチャンバーの上流端を形成し、一方で他の半球領域３１０ｂはチャンバーの下流端を形成し上流部分３１０ａより小さい半径を持つ。チャンバーはさらに、大きな半球領域３１０ａの下流端と、小さな半球領域３１０ｂの上流端との間に環状の平面領域３１０ｃを有する。出口オリフィス３１６は、下流半球領域３１０ｂの中心軸上に位置する。
【００７７】
渦流チャンバー３１０は、チャンバーの上流端に２つの非接線注入口３１２、３１４を有する。注入口３１２、３１４はチャンバーの両側の異なる平面上に配置され、図６ｂに示すようにチャンバーの縦軸Ｙに対し約３０度の角度をなし、チャンバーの平面部分３１０ｃに向かって互いに分岐する流路（図６ｂの矢印Ｚで表される）に沿って流体を導入する。使用時に、注入口からの流体流は平坦な壁部分３１０ｃに角度を持って衝突し、流体は上流半球領域３１０ａの湾曲面に向かって後方及び外側へ偏向させられ、そこで流体はチャンバーの周りに回転又はスピンさせられる。注入口３１２、３１４はチャンバーの両側に逆向きに角度を付けられているため、図６ａの矢印に示されるように、両方の注入口からの流体流はチャンバー３１０の周りを同じ周方向に回転させられる。
【００７８】
上記したように、流体がチャンバーの平面３１０ｃに衝突する前に少なくともチャンバーの一部を横断するよう、注入口３１２、３１４は上流半球領域３１０ａの表面に非接線方向に並ぶ。流体流がチャンバーの表面３１０ｃに接する前に交差しないよう、かつ流体流が出口オリフィス３１６の中心線を横断しないように注入口が配置される。
【００７９】
本実施形態では双方の注入口が同じ大きさであるが、別の実施形態では、一方の注入口が他の注入口より大きな断面積を有していてもよい。
【００８０】
チャンバー３１０がドーム状又は一部球状の表面領域３１０ａ、３１０ｂを有するので、上流端を通ってチャンバーに入り、チャンバー表面へ概ね縦方向にチャンバーに流体流を導入して流体を回転又は旋回させるように注入口３１２、３１４を配置することができる。このことは、湾曲した円筒側面に沿って注入口が流体を側方からチャンバー内に導入するため、側部流路手段を必要とする従来の円筒形渦流チャンバーに対し、有利である。チャンバーの上流端を通って入る注入口は、側部流路に比べて一般に製造が容易であり詰まりも少ない。さらに、側部流路を必要とせず、横方向に必要な空間が少ないため、渦流チャンバー３１０を省スペースで取り付けることができる。このことは又、出口オリフィスによって生成されるスプレーが重なり合うか接触するよう、多数の上記渦流チャンバーを極めて接近し隣り合って配置させることができる。
【００８１】
すべての注入口は同一の液体又は溶液をチャンバー３１０に導入するように配置されていてもよい。その代わり、溶液と混合するために第２の液体又は空気などのガスでさえもチャンバー３１０に導入するよう、１又はそれ以上の注入口を配置することもできる。ガスが導入される場合、１又は複数のガス注入口はチャンバーの上流端又は側方を通って提供され得る。
【００８２】
注入口３１２、３１４の数及び配置は必要に応じて変えることができる。少なくとも２つの注入口が好ましいが、出口オリフィスから離れた向きであるが、上流端からの単一の注入口を使用することができる。
【００８３】
図７から図１４は、少なくとも１つのドーム状又は一部球状の表面領域を持ち本発明に従うノズル装置に組み込むことができる、多くの別の渦流チャンバー装置を示す。
【００８４】
図７ａから図７ｃに示されるチャンバー４１０は、注入口４１２、４１４が１つの流路から分岐するものとして示されることを除き、図６ａから図６ｃに示されるものと同様である。一方の注入口４１２は他方の注入口４１４より大きな断面積を有する。
【００８５】
図８ａから図８ｃは、チャンバーの下流端の中心軸に位置する１つの出口オリフィスを備えた球面を有するチャンバー５１０を示す。注入口５１２、５１４はチャンバーの上流端に備えられ、上記チャンバー３１０と同様な方法で配置されている。チャンバーの下流端の湾曲した表面に流体が接するよう、注入口は流体をチャンバーの非接線方向に導入し、流体はチャンバー内で回転又は旋回させられる。
【００８６】
図９ａから図９ｃに示す装置において、チャンバー６１０は、上流端に位置する湾曲した表面領域と、チャンバーの縦軸Yに一致する中心軸とを有する半球状をなしている。１個の出口オリフィス６１６がチャンバーの平坦な下流端壁の中心に位置する。２つの非接線注入口６１２、６１４はチャンバーの上流端を通って入り、上記チャンバー３１０と同様な方法で流体を平坦な下流端壁に角度を持って導入し、その結果、流体はチャンバー内へ後退し、さらにチャンバーの湾曲面の外側に偏向し、そこで流体はチャンバーの周りに回転させられる。
【００８７】
図１０ａから図１０ｃは、チャンバーの下流領域が出口オリフィス７１６に向かって先細りしている円錐面領域７１０ｂを有することを除き、上記チャンバー３１０と同様な渦流チャンバー７１０を備えたノズル装置を示す。
【００８８】
複数の出口オリフィス８１６を備えた渦流チャンバー８１０を組み込んだノズル装置が図１１ａ及び図１１ｂに示される。チャンバー８１０は、半球面を持つ上流領域８１０ａと、下流領域に３つの出口オリフィス８１６とを備える。各出口オリフィスは、個々のドーム状又は半球状のチャンバー領域８３０の先端に位置する。チャンバーは、図６ａから図６ｃに対応する上記チャンバー３１０のものと同様な方法で、チャンバーの上流端に位置する２つの非接線注入口８１２、８１４を有する。本実施形態では、メインチャンバーの周りに回転するのと同様に、流体が出口オリフィス８１６に隣接する個々のドーム状領域８３０の周りに回転する。
【００８９】
図１２ａから図１２ｃは、図６ａから図６ｃに対応する上記チャンバー３１０と同様な渦流チャンバー９１０を備えたノズル装置を示す。しかし、この実施形態では、チャンバー９１０は、チャンバーの上流端９１０ａの周りに空間をあけて配置される４つの注入口９１２ａ、９１２ｂ、９１４ａ、９１４ｂを有する。注入口は流体を非接線方向にチャンバー内に導入し、その結果、流体流は環状の平面領域９１０ｃに接し、さらに湾曲した上流半球面９１０ａの後方かつ外に向かって偏向し、そこで流体はチャンバーの周りに回転又は旋回させられる。
【００９０】
図１３ａから図１３ｃに示すノズル装置は、連結面領域１０１０ｄによって分離される上流半球面領域１０１０ａと下流半球面領域１０１０ｂとを有する渦流チャンバー１０１０を備える。２つの半球面領域１０１０ａ、１０１０ｂは同じ大きさであるが、連結領域１０１０ｄはこれより小さい半径を有する。この実施形態の連結領域１０１０ｄは、内側へ向かって先細り、中央で頂点に至る表面を有するが、別の実施形態では連結領域は円筒面を有してもよい。チャンバー１０１０は、図６ａから図６ｃに対応する上記チャンバー３１０の注入口３１２、３１４と同様、２つの非接線流体注入口１０１２、１０１４を有する。１つの出口オリフィス１０１６が下流半球面領域１０１０ｂの中心に備えられている。
【００９１】
上記実施形態は様々に変更できることは理解されるべきである。例えば、連結部分１０１０ｄの大きさや形状は変えることができる。従って、連結部分は２つの半球領域１０１０ａ、１０１０ｂと同じ半径とすることができるし、又、２つの半球領域１０１０ａ、１０１０ｂを分離する円筒面領域を形成することができる。その代わりに、２つの半球領域１０１０ａ、１０１０ｂの相対的な大きさを変更することができる。従って、下流半球領域１０１０ｂを上流半球領域より小さくすることができるし、その逆とすることもできる。
【００９２】
図１４ａから図１４ｃに示されるノズル装置の渦流チャンバー１１１０も又、図６ａから図６ｃに対応する上記渦流チャンバー３１０と同様であるが、唯一の違いは、この実施形態のチャンバー１１１０は、小さい上流半球面領域１１１０ｂを囲む環状表面領域１１１０ｄを有することである。環状表面領域はチャンバーの上流端に向かって開口し、注入口１１１２、１１１４はチャンバーの上流端から流体をチャンバーの非接線方向に導入し、その結果、流体流が環状表面領域１１１０ｄの凹面に接してチャンバーの周りに回転又は旋回させられる。環状部１１１０ｄは断面が概ねＵ字状の環状領域を有し、それは小さな下流半球領域を囲む。
【００９３】
図６から図１４に示される実施形態は、ドーム状表面領域がどのようにノズル装置の渦流チャンバーに組み込まれるかを示す例に過ぎないことは理解されるべきである。示された種々の実施形態は多くの方法で変更することができる。例えば、示されたいかなる実施形態も、標準的な接線注入口、逆向き接線注入口又は非接線注入口であってよい１又はそれ以上の注入口を備えることができる。さらに、示されたいかなる渦流チャンバーも、１以上の出口オリフィスを有することができる。
【００９４】
表面は一部球状、半球状または球状であるとして記述されたが、流体がチャンバーの周りにスピン又は回転するのを促進する限り、表面が完全に球状又は一部球状である必要はないことは理解されるべきである。
【００９５】
実験では、チャンバーの横方向だけでなく縦方向にも湾曲するドーム状の表面領域を有する渦流チャンバーは、同様な動作条件での従来の同等の渦流チャンバーに比べ、完全円錐かつ微小液滴を有する改良されたスプレー性能を実現することが見出されている。
【００９６】
ここに記述されたいかなる実施形態に従うチャンバーも、従来の渦流チャンバーに比べて都合良く大きく製造できることがわかった。公知の渦流チャンバーは一般に直径１ｍｍから２ｍｍの範囲にあるが、本発明に従うチャンバーは、直径又は幅６ｍｍの大きさに至るまで有効であることがわかった。特に３ｍｍから５ｍｍ、とりわけ４ｍｍの直径／幅を持つ本発明に従うチャンバーは、有利な結果をもたらすことがわかった。チャンバーはあらゆる適切な長さとすることができるが、一般には０．３ｍｍから１０ｍｍのどの長さとしてもよい。大抵の用途ではチャンバーが０．５ｍｍから３ｍｍの長さを持つことが期待される。逆向き接線注入口を有するチャンバーはより短い０．５ｍｍから４ｍｍの長さを持ち、０．５ｍｍから１．５ｍｍの長さが好ましい。
【００９７】
本発明に従うノズル装置の一部を形成する渦流チャンバーは、旋回する液体の中心に空気芯を生成することに依存しない。これは、渦流チャンバーがノズル装置の最終スプレーオリフィスに隣接する場合にのみ使用されるべきでなく、最終スプレーオリフィスから上流で使用でき、さらには従来の渦流チャンバー又は本発明の任意の態様に従う１つであってよい少なくとも１つの他の渦流チャンバーと直列であっても使用できることを意味する。１つの有利な装置において、２つの渦流チャンバーが直列に配置され、それらの間の流路には膨張チャンバーが備えられる。
【００９８】
渦流チャンバーが最終出口又はスプレーオリフィスに隣接して配置される場合、本発明に従うノズルは、広いスプレー円錐角であっても中空円錐でなく完全円錐スプレーパターンを生成するであろう。このノズルはさらに、従来の類似の渦を持つノズルより微小な液滴サイズで、かつ狭い液滴サイズ分布を有するスプレーを生成するであろう。生成されたスプレーは、従来の類似の渦を持つノズルより軸方向に高い速度成分を持つ放物線のようなパターンを有する。その結果、本発明に従うノズルによって生成されたスプレーは従来の渦に比べ、長い浸透距離を有し、出口オリフィスからの距離による平均液滴サイズの増加率が小さい。
【００９９】
本発明に従うノズル装置は、エアロゾル又は手動ポンプディスペンサーを含む幅広い種類の用途、並びに噴霧ノズル及びエンジン等の燃料噴射システムを含む多くの工業用途に使用することができる。本発明に従うノズル装置は、０．５barから２５０bar又はそれ以上にわたる動作圧力で、溶液を含むいかなる粘度の流体への使用に適合する。
【０１００】
上記した好ましい実施形態では、ノズル装置は、特に低コストで大量生産に適した射出成形技術を用いたポリマー材料から製造される。しかし、本発明は、あらゆる適切な技術を用いたあらゆる適切な材料から製造されるノズル装置を包含することは理解されるべきである。一般にノズルは、渦流チャンバーを規定するために組み合わされる２つの部分を有する本体を含む。この部分はそれぞれ接合面を有していてもよく、それは他の部分の対応する接合面と結合する。２つの部分が組み立てられた時に渦流チャンバーを規定するため、一連の溝及び／又は凹部が少なくとも１つの接合面に形成されてもよい。一般に、対応する溝及び／又は凹部が両方の部分の接合面に形成され、２つの部分が組み立てられた時、それらの間で渦流チャンバーを規定する。
【０１０１】
本発明は、現在のところ最も実用的で好ましい実施形態と考えられるものに関して記述されたが、本発明は開示された装置に限られるのでなく、本発明の範囲内で種々の変更及び均等な構成に及ぶことを意図することは理解されるべきである。
【図面の簡単な説明】
【０１０２】
【図１】本発明に従うノズル装置の一部を形成する渦流チャンバーの略断面図であり、図は前記チャンバーの長手方向軸Ｙを含む平面を通って得られる。
【図２】図１のＸ−Ｘ線に沿って得られた略断面図である。
【図３】図２に類似する図であるが２つの注入口オリフィスが同じ側からチャンバーに入るチャンバーの代替実施形態を示す図である。
【図４】図１に類似する図であるがチャンバーのいずれかの側に複数の注入口オリフィスが備えられた他の代替実施形態を示す図である。
【図５】図２に類似する図であるが２つの注入口オリフィスが流体をチャンバーの接線方向に逆向きに導入するよう配置されるさらに他の代替実施形態を示す図である。
【図６ａ】本発明の別の実施形態に従うノズル装置の一部の正面概略図である。
【図６ｂ】本発明の別の実施形態に従うノズル装置の一部の側面概略図である。
【図６ｃ】本発明の別の実施形態に従うノズル装置の一部の平面概略図であり、渦流チャンバーの隠れた細部が破線で示される。
【図７ａ】図６ａに類似する図であるが本発明のさらに他の実施形態を示す図である。
【図７ｂ】図６ｂに類似する図であるが本発明のさらに他の実施形態を示す図である。
【図７ｃ】図６ｃに類似する図であるが本発明のさらに他の実施形態を示す図である。
【図８ａ】図６ａに類似する図であるが本発明のさらに別の実施形態を示す図である。
【図８ｂ】図６ｂに類似する図であるが本発明のさらに別の実施形態を示す図である。
【図８ｃ】図６ｃに類似する図であるが本発明のさらに別の実施形態を示す図である。
【図９ａ】図６ａに類似する図であるが本発明のさらに別の実施形態を示す図である。
【図９ｂ】図６ｂに類似する図であるが本発明のさらに別の実施形態を示す図である。
【図９ｃ】図６ｃに類似する図であるが本発明のさらに別の実施形態を示す図である。
【図１０ａ】図６ａに類似する図であるが本発明のさらに別の実施形態を示す図である。
【図１０ｂ】図６ｂに類似する図であるが本発明のさらに別の実施形態を示す図である。
【図１０ｃ】図６ｃに類似する図であるが本発明のさらに別の実施形態を示す図である。
【図１１ａ】図６ａに類似する図であるが本発明のさらに別の実施形態を示す図である。
【図１１ｂ】図６ｂに類似する図であるが本発明のさらに別の実施形態を示す図である。
【図１１ｃ】図６ｃに類似する図であるが本発明のさらに別の実施形態を示す図である。
【図１２ａ】図６ａに類似する図であるが本発明のさらに別の実施形態を示す図である。
【図１２ｂ】図６ｂに類似する図であるが本発明のさらに別の実施形態を示す図である。
【図１２ｃ】図６ｃに類似する図であるが本発明のさらに別の実施形態を示す図である。
【図１３ａ】図６ａに類似する図であるが本発明のさらに別の実施形態を示す図である。
【図１３ｂ】図６ｂに類似する図であるが本発明のさらに別の実施形態を示す図である。
【図１３ｃ】図６ｃに類似する図であるが本発明のさらに別の実施形態を示す図である。
【図１４ａ】図６ａに類似する図であるが本発明のさらに別の実施形態を示す図である。
【図１４ｂ】図６ｂに類似する図であるが本発明のさらに別の実施形態を示す図である。
【図１４ｃ】図６ｃに類似する図であるが本発明のさらに別の実施形態を示す図である。
【図１】
2008521601.tif 000003
【図２】
2008521601.tif 000004
【図３】
2008521601.tif 000005
【図４】
2008521601.tif 000006
【図５】
2008521601.tif 000007
【図６ａ】
2008521601.tif 000008
【図６ｂ】
2008521601.tif 000009
【図６ｃ】
2008521601.tif 000010
【図７ａ】
2008521601.tif 000011
【図７ｂ】
2008521601.tif 000012
【図７ｃ】
2008521601.tif 000013
【図８ａ】
2008521601.tif 000014
【図８ｂ】
2008521601.tif 000015
【図８ｃ】
2008521601.tif 000016
【図９ａ】
2008521601.tif 000017
【図９ｂ】
2008521601.tif 000018
【図９ｃ】
2008521601.tif 000019
【図１０ａ】
2008521601.tif 000020
【図１０ｂ】
2008521601.tif 000021
【図１０ｃ】
2008521601.tif 000022
【図１１ａ】
2008521601.tif 000023
【図１１ｂ】
2008521601.tif 000024
【図１２ａ】
2008521601.tif 000025
【図１２ｂ】
2008521601.tif 000026
【図１２ｃ】
2008521601.tif 000027
【図１３ａ】
2008521601.tif 000028
【図１３ｂ】
2008521601.tif 000029
【図１３ｃ】
2008521601.tif 000030
【図１４ａ】
2008521601.tif 000031
【図１４ｂ】
2008521601.tif 000032
【図１４ｃ】
2008521601.tif 000033
【手続補正書】
【提出日】平成19年10月15日(2007.10.15)
【手続補正１】
【補正対象書類名】特許請求の範囲
【補正対象項目名】全文
【補正方法】変更
【補正の内容】
【特許請求の範囲】
【請求項１】
渦流チャンバーを含む噴霧式ノズル装置であって、前記渦流チャンバーは少なくとも１つの湾曲した表面領域と、前記チャンバーの下流端に位置しそれを通って流体が前記チャンバーから流出可能な少なくとも１つの出口オリフィスと、２又はそれ以上の側部流体注入口とを備え、
前記２又はそれ以上の側部注入口は、それぞれ前記注入口の反対側の前記チャンバーの表面領域に接する前に、少なくとも前記チャンバーの一部を横切って前記各注入口から延びる経路に沿って流体を前記チャンバーの非接線方向に導入するよう構成され、
前記装置は、使用時に前記チャンバーに入る流体が前記少なくとも１つの出口オリフィスを通って前記チャンバーから流出する前に前記チャンバー内で回転させられるようになっていて；
前記２又はそれ以上の側部注入口の少なくとも１つは、前記２又はそれ以上の側部注入口の少なくとも他の１つより大きい断面積を有することを特徴とする噴霧式ノズル装置。
【請求項２】
前記２又はそれ以上の側部注入口の少なくとも２つは、前記チャンバー内で交差しない経路に沿って流体を前記チャンバー内に導入するよう構成される請求項１記載の噴霧式ノズル装置。
【請求項３】
前記２又はそれ以上の側部注入口の少なくとも２つは、実質的に平行な経路に沿って流体を前記チャンバー内に導入するよう構成される請求項１又は請求項２記載の噴霧式ノズル装置。
【請求項４】
前記２又はそれ以上の非接線方向注入口のそれぞれは、使用時に流体が前記チャンバーの湾曲した表面領域へ導入されるよう構成される先行する全ての請求項のうちいずれか１に記載の噴霧式ノズル装置。
【請求項５】
前記チャンバーは円筒形の表面部分を有し、前記２又はそれ以上の側部注入口のそれぞれは流体を前記円筒形の表面部分へ導入するよう構成される請求項４記載の噴霧式ノズル装置。
【請求項６】
前記チャンバーの縦軸に対して実質的に垂直な共通平面に配置された２又はそれ以上の側部注入口が存在する先行する全ての請求項のうちいずれか１に記載の噴霧式ノズル装置。
【請求項７】
前記２又はそれ以上の側部注入口の２つは、前記チャンバーの反対側から流体を前記チャンバー内に導入するよう構成される先行する全ての請求項のうちいずれか１に記載の噴霧式ノズル装置。
【請求項８】
前記２又はそれ以上の側部注入口の２つは、前記チャンバーの同じ側から流体を前記チャンバー内に逆回転方向に導入するよう構成される先行する全ての請求項のうちいずれか１に記載の噴霧式ノズル装置。
【請求項９】
少なくとも１つの別の注入口が前記チャンバーの上流端に存在する先行する全ての請求項のうちいずれか１に記載の噴霧式ノズル装置。
【請求項１０】
前記チャンバーの表面の少なくとも一部は、該チャンバーの横方向と縦方向の両方に湾曲している先行する全ての請求項のうちいずれか１に記載の噴霧式ノズル装置。
【請求項１１】
前記チャンバーの表面の少なくとも一部は概ね球状又は一部球状である請求項１０記載の噴霧式ノズル装置。
【請求項１２】
渦流チャンバーを含む噴霧式ノズル装置であって、前記渦流チャンバーは、前記チャンバーの下流部分に位置しそれを通って流体が前記チャンバーから流出可能な少なくとも１つの出口オリフィスと、少なくとも１つの流体注入口とを備え、
前記チャンバーは前記下流部分の反対側に上流部分を有し、その部分で前記チャンバーの表面がチャンバーの横方向と縦方向の両方に湾曲し、前記少なくとも１つの注入口は前記湾曲した上流部分を通って前記チャンバーに入る噴霧式ノズル装置。
【請求項１３】
前記チャンバーの上流部分は概ね一部球状の表面領域を含み、前記概ね一部球状の表面領域の中心軸は実質的に前記チャンバーの縦軸に一致する請求項１２記載の噴霧式ノズル装置。
【請求項１４】
前記チャンバーの下流部分は概ね一部球状の表面領域を有する請求項１３記載の噴霧式ノズル装置。
【請求項１５】
前記チャンバーが概ね球状である請求項１４記載の噴霧式ノズル装置。
【請求項１６】
前記上流部分の概ね一部球状の表面領域は、前記下流部分の概ね一部球状の表面領域に比べて大きな半径を有する請求項１４記載の噴霧式ノズル装置。
【請求項１７】
前記上流部分の概ね一部球状の表面領域は、前記チャンバーの中間部分によって前記下流部分の概ね一部球状の表面領域から分離している請求項１４又は請求項１６記載の噴霧式ノズル装置。
【請求項１８】
前記下流部分は、概ね円錐面領域を持つ請求項１３記載の噴霧式ノズル装置。
【請求項１９】
前記チャンバーは複数の出口オリフィスを有し、各出口オリフィスは前記チャンバーの概ね一部球状の表面領域に別々に位置する請求項１２〜１８のいずれか１に記載の噴霧式ノズル装置。
【請求項２０】
各出口オリフィスは、個々の一部球状の表面領域の中心軸上に位置する請求項１９記載の噴霧式ノズル装置。
【請求項２１】
前記チャンバーはさらに、ドーナツ状部分に形成された表面領域を有する請求項１２〜１４又は１６〜２０のいずれか１に記載の噴霧式ノズル装置。
【請求項２２】
前記ドーナツ状部分表面領域は、前記少なくとも１つの出口オリフィスの周囲の前記チャンバーの下流部分に位置する請求項２１記載の噴霧式ノズル装置。
【請求項２３】
前記チャンバーの下流部分は、前記ドーナツ状部分表面領域の内側に位置する概ね一部球状の表面領域をさらに含む請求項２１又は請求項２２記載の噴霧式ノズル装置。
【請求項２４】
前記少なくとも１つの注入口は、前記チャンバーの概ね縦方向に延びる経路に沿って流体を前記チャンバー内に導入するよう構成される請求項１２〜２３のいずれか１に記載の噴霧式ノズル装置。
【請求項２５】
２又はそれ以上の注入口が存在し、各注入口は前記チャンバーの上流部分に設けられている請求項１２〜２４のいずれか１に記載の噴霧式ノズル装置。
【請求項２６】
前記注入口、又は各注入口は、前記注入口に直接隣接する前記チャンバーの表面に対し非接線方向に流体を前記チャンバーに導入するよう構成され、
前記装置は、前記チャンバーに入る流体が前記チャンバーの表面に接する前に少なくとも前記チャンバーの一部を横切って前記注入口から導入されるようにする請求項１２〜２５のいずれか１に記載の噴霧式ノズル装置。
【請求項２７】
前記チャンバーは前記上流部分に２又はそれ以上の注入口を有し、前記チャンバーは少なくとも２つの前記注入口からの流体流が前記チャンバー内で周方向に概ね逆回転するように構成される請求項２６に記載の噴霧式ノズル装置。
【請求項２８】
前記上流部分に４又はそれ以上の注入口が存在する請求項１２〜２７のいずれか１に記載の噴霧式ノズル装置。
【請求項２９】
前記チャンバーは前記上流部分に１以上の注入口を有し、少なくとも１つの前記注入口は、少なくとも他の１つの前記注入口より大きい断面積を有する請求項１２〜２８のいずれか１に記載の噴霧式ノズル装置。
【請求項３０】
渦流チャンバーを含む噴霧式ノズル装置であって、前記渦流チャンバーは前記チャンバーの下流端に位置しそれを通って流体が前記チャンバーから流出可能な少なくとも１つの出口オリフィスと、２又はそれ以上の側部流体注入口とを備え、
各注入口はそれぞれの注入口に直接隣接する前記チャンバーの表面の接線方向に流体を導入するよう構成され、
少なくとも２つの前記注入口は、使用時に流体流が前記チャンバーの周方向に概ね逆回転するよう前記チャンバー内に流体の流れを導入するように配置され、少なくとも１つの前記注入口は少なくとも他の１つの前記注入口より大きい断面積を有することを特徴とする噴霧式ノズル装置。
【請求項３１】
前記少なくとも２つの注入口は、前記チャンバーの同じ側から前記チャンバーに入る請求項３０記載の噴霧式ノズル装置。
【請求項３２】
前記少なくとも２つの注入口は、前記チャンバーの縦軸に対して垂直な共通平面に設けられている請求項３０又は請求項３１記載の噴霧式ノズル装置。
【請求項３３】
２以上の注入口が存在し、使用時に、少なくとも２つの前記注入口は、流体流が前記チャンバーの周方向に概ね逆回転するよう、前記チャンバー内に流体の流れを導入するように配置される請求項３０〜３２のいずれか１に記載の噴霧式ノズル装置。
【請求項３４】
前記チャンバーに沿って間隔をあけて配置されるよう、前記チャンバーの縦軸に対して垂直な複数の異なる平面に複数の注入口が設けられている請求項３３記載の噴霧式ノズル装置。
【請求項３５】
異なる平面のそれぞれに少なくとも２つの注入口が存在し、使用時に、それらは流体流が前記チャンバーの周方向に概ね逆回転するよう流体の流れを前記チャンバー内に導入するように配置される請求項３４記載の噴霧式ノズル装置。
【請求項３６】
前記渦流チャンバーは、前記チャンバーの下流端の中心に配置される単一の出口オリフィスを有する先行する全ての請求項のうちいずれか１に記載の噴霧式ノズル装置。
【請求項３７】
前記渦流チャンバーは、複数の出口オリフィスを有する請求項１〜３５のいずれか１に記載の噴霧式ノズル装置。
【請求項３８】
前記渦流チャンバーの前記出口オリフィス又は各出口オリフィスは、前記ノズル装置の最終スプレーオリフィスである先行する全ての請求項のうちいずれか１に記載の噴霧式ノズル装置。
【請求項３９】
前記渦流チャンバーの前記出口オリフィス又は各出口オリフィスは、前記チャンバーから流出する流体を、前記ノズル装置の前記最終出口オリフィス又はオリフィスから上流にある前記ノズル装置の延長部分に導入する請求項１〜３７のいずれか１に記載の噴霧式ノズル装置。
【請求項４０】
前記渦流チャンバーが１以上の注入口を有し、すべての前記注入口が流体源から同一の液体を前記チャンバーに供給するよう配置される先行する全ての請求項のうちいずれか１に記載の噴霧式ノズル装置。
【請求項４１】
前記渦流チャンバーが１以上の注入口を有し、少なくとも１つの前記注入口が第１の流体源から液体を前記チャンバーに供給するように配置され、少なくとも１つの他の注入口が第２の流体源から異なる流体を前記チャンバーに供給するよう配置される請求項１〜４０のいずれか１に記載の噴霧式ノズル装置。
【請求項４２】
前記異なる流体はガスである請求項４１に記載の噴霧式ノズル装置。
【請求項４３】
前記チャンバーの上流部分と下流部分の少なくとも１つが先細りになっている請求項１〜１１及び３０〜３４のいずれか１に記載の噴霧式ノズル装置。
【請求項４４】
前記チャンバーの上流部分と下流部分の少なくとも１つが先細りになっていて円錐形又は截頭円錐形を形成する請求項４３に記載の噴霧式ノズル装置。
【請求項４５】
前記ノズル装置は、互いに並列に配置される２又はそれ以上の渦流チャンバーを含む先行する全ての請求項のうちいずれか１に記載の噴霧式ノズル装置。
【請求項４６】
前記ノズル装置は、直列に配置される２又はそれ以上の渦流チャンバーを含む先行する全ての請求項のうちいずれか１に記載の噴霧式ノズル装置。
【請求項４７】
直列に配置される２つの渦流チャンバーと、前記２つの渦流チャンバー間の流路に配置される膨張チャンバーとを含む請求項４４に記載の噴霧式ノズル装置。
【請求項４８】
前記出口オリフィス又は各出口オリフィスを通って前記チャンバーから流出する流体は、空気芯を含まない完全円錐の霧化スプレーを形成する先行する全ての請求項のうちいずれか１に記載の噴霧式ノズル装置。
【請求項４９】
種々の図に関し、及び種々の図で示される実質的に前述した噴霧式ノズル装置。
【請求項５０】
先行する全ての請求項のうちいずれか１に記載の噴霧式ノズル装置を含むディスペンサー。
【国際調査報告】
2008521601.tif 000034
2008521601.tif 000035
2008521601.tif 000036